(57)【要約】【課題】無線機能（Ｗｉ‐Ｆｉ等）を搭載し、無線通信を介して携帯端末に接続可能な画像読取装置において、画像読取装置が読取った画像データを、携帯端末で画像処理まで行ってしまうと、携帯端末自体の処理能力が低いことや、無線通信であるためにデータ通信速度が遅いことにより、画像取得するのに時間が掛かってしまうという問題があった。【解決手段】画像読取装置が読取った画像データをＰＣへＵＳＢインターフェイスを介して送信し、あらかじめ設定されている画像処理条件に基づいて、ＰＣが画像処理を行う。ＰＣから画像処理された画像データを画像読取装置にＵＳＢインターフェイスを介して送り、更に画像読取装置から無線通信を介して携帯端末に転送することで、画像を取得するまでの時間を短縮する。【選択図】図３
2017041699.tif 000002
【特許請求の範囲】
【請求項１】
原稿の画像を読み取る画像読取部と、
前記画像読取部で読み取った画像データに対して所定の画像処理を行う第１の外部情報処理装置と接続する第１のインターフェイスと、
前記第１のインターフェイスで受信した画像処理済みの画像データの送信先となる第２の外部情報処理装置と接続する第２のインターフェイスと、を備え、
前記第１の外部情報処理装置からの指示に基づいて、前記画像読取部で読み取った画像データを前記第１のインターフェイスから前記第２の外部情報処理装置に送信し、前記第２の外部情報処理装置において画像処理を施した後、画像処理済みの画像データを前記第２のインターフェイスから受信したら、前記画像処理済みの画像データを前記第１のインターフェイスから前記第１の外部情報処理装置に送信するようにしたことを特徴とする画像読取装置。
【請求項２】
原稿を読取るための画像読取部と、
前記画像読取部が読取った画像データを格納するための記憶手段と、
前記画像読取部を制御し、画像データを取得する画像読取制御部と、
前記画像データに画像処理を行う第１の外部情報処理装置と接続するための第１の入出力インターフェイスと、
前記第１の外部情報処理装置とは別の、第２の外部情報処理装置と接続するための第２の入出インターフェイスとを備えた画像読取装置において、
前記記憶手段から前記画像データを前記第１の外部情報処理装置へと前記第１の入出力インターフェイスを介して送信し、あらかじめ設定されていた画像処理条件に基づいて、前記第１の外部情報処理装置が前記画像データに画像処理を行い、前記第１の外部情報処理装置から画像処理された前記画像データを前記記憶手段に前記第１の入出力インターフェイスを介して送信し、
更に前記第２の入出インターフェイスを介して前記第２の外部情報処理装置に転送する制御手段と
を備えることを特徴とする画像読取装置。
【請求項３】
前記画像読取部が読取った前記画像データのデータ量が所定値以下の場合、
前記制御手段は前記画像データを前記第１の入出力インターフェイスを介して、前記第１の外部情報処理装置に送信せずに、前記第２の入出力インターフェイスを介して前記第２の外部情報処理装置に送信し、
前記第２の外部情報処理装置は、あらかじめ設定されていた前記画像処理条件に基づいて前記画像データを画像処理することを特徴とする請求項１記載の画像読取装置。
【請求項４】
前記画像読取部が読取った前記第２の入出インターフェイスのデータ通信速度が所定値を上回った場合、
前記制御手段は前記画像データを前記第１の入出力インターフェイスを介して、前記第１の外部情報処理装置に送信せずに、前記第２の入出力インターフェイスを介して前記第２の外部情報処理装置に送信し、あらかじめ設定されていた画像処理条件に基づいて、前記第２の外部情報処理装置が画像処理を行うことを特徴とする請求項２記載の画像読取装置。
【請求項５】
前記第１の入出力インターフェイスと前記第１の外部情報処理装置との接続が解除されることによって、前記外部情報処理装置から画像データを消去する機能を備えることを特徴とする請求項２〜３のいずれか一項に記載の画像読取装置。
【請求項６】
前記第１の入出力インターフェイスを介して前記第１の外部情報処理装置から受電するための電源受給回路を備えることを特徴とする請求項２〜５のいずれか一項に記載の画像読取装置。
【請求項７】
前記第１の外部情報処理装置は、前記第２の外部情報処理装置よりも処理能力が高いことを特徴する請求項２〜６のいずれか一項に記載の画像読取装置。
【請求項８】
前記第２の入出力インターフェイスは無線通信であることを特徴とする請求項２〜７のいずれか一項に記載の画像読取装置。
【請求項９】
原稿の画像を読み取る画像読取部を備えた画像読取装置と、
前記画像読取装置で読み取った画像データの画像処理を行う第１の外部情報処理装置と、
前記１の外部情報処理装置において画像処理が施された画像データの送信先となる第２の外部情報処理装置と、を備え、
前記画像読取装置は、前記第１の外部情報処理装置と接続する第１のインターフェイスと、前記第２の画像情報処理装置と接続する第２のインターフェイスとを有し、前記１のインターフェイスを通じて受信した画像処理済みの画像データを前記第２のインターフェイスを通じて前記第２の外部情報処理装置に送信することを特徴とする画像読取システム。
【発明の詳細な説明】
【技術分野】
【０００１】
本発明は、ＵＳＢインターフェイス等の通信速度の速いインターフェイスを介してＰＣと接続され、且つ、本インターフェイスを介しＰＣから電源の供給を受ける画像読取装置において、前記ＵＳＢインターフェイスとは別の通信速度が遅いインターフェイスを別途有し、前記通信速度の遅いインターフェイスを介して、前記ＰＣとは別の処理能力の低い外部記録装置にスキャン画像を送信可能な構成を有する画像読取装置に関する。
【背景技術】
【０００２】
通常、画像読取装置は、ＵＳＢ（Ｕｎｉｖｅｒｓａｌ  Ｓｅｒｉａｌ  Ｂｕｓ）インターフェイスを介してパーソナルコンピュータやワークステーション等の外部情報処理装置（以下、これらの総称してＰＣという）と接続する。
【０００３】
これらの画像読取装置には、ＰＣからＵＳＢインターフェイスを介して電源の給電を受けるものもある。
【０００４】
また近年、無線通信機能を備えた画像読取装置が普及し始めている。これらの画像読取装置では、無線通信を介して、携帯端末等の外部記憶装置に画像データを送信する。
【０００５】
さらに、ＵＳＢインターフェイス等の通信速度の速いインターフェイスと無線通信等の通信速度の遅いインターフェイスの両方を有し、ＵＳＢインターフェイスを介してＰＣから電源の供給を受けつつ、携帯端末等の外部記憶装置と無線通信で通信することが可能な画像読取装置もある。
【０００６】
これらの画像読取装置では、ＰＣがＵＳＢインターフェイスを介して画像読取装置に読取指示を行った場合、画像読取装置が読取った画像データをＰＣにＵＳＢインターフェイスを介して送信し、ＰＣが画像データの画像処理を行なった後、ＰＣ内に画像データを保存する。
【０００７】
一方、画像読取装置と携帯端末の無線通信が確立している状態で、携帯端末が無線通信を介して画像読取装置に読取指示を行った場合、画像読取装置が読取った画像データを携帯端末に無線通信を介して送信し、携帯端末が画像データの画像処理を行った後、携帯端末内に画像データを保存する。
【先行技術文献】
【特許文献】
【０００８】
【特許文献１】特許第４０６１１８１号公報
【特許文献２】特開２０１１−１７５６６４号公報
【発明の概要】
【発明が解決しようとする課題】
【０００９】
しかしながら、携帯端末で画像処理を行ってしまうと、携帯端末自体の処理能力が低いことや無線通信であるためにデータ通信速度が遅いことにより、スキャン画像取得までに時間が掛かってしまうという問題が生じる。
【００１０】
更に、画像読取設定がカラーモードや高解像度、複数の画像処理を行うような設定である場合、画像データのデータ量が大きくなってしまい、よりスキャン画像取得までの時間が掛かってしまう問題もある。
【００１１】
本発明は、読取効率を向上した画像読取装置を提供する。
【課題を解決するための手段】
【００１２】
本発明の画像読取装置は、原稿の画像を読み取る画像読取部と、前記画像読取部で読み取った画像データに対して所定の画像処理を行う第１の外部情報処理装置と接続する第１のインターフェイスと、前記第１のインターフェイスで受信した画像処理済みの画像データの送信先となる第２の外部情報処理装置と接続する第２のインターフェイスと、を備え、前記第１の外部情報処理装置からの指示に基づいて、前記画像読取部で読み取った画像データを前記第１のインターフェイスから前記第２の外部情報処理装置に送信し、前記第２の外部情報処理装置において画像処理を施した後、画像処理済みの画像データを前記第２のインターフェイスから受信したら、前記画像処理済みの画像データを前記第１のインターフェイスから前記第１の外部情報処理装置に送信するようにしたことを特徴とする。
また、本発明の他の態様は、原稿を読取るための画像読取部と、画像読取部が読取った画像データを格納するための記憶手段と、画像読取部を制御し、画像データを取得する画像読取制御部と、画像データに画像処理を行う第１の外部情報処理装置と接続するための第１の入出力インターフェイスと、第１の外部情報処理装置とは別の、第２の外部情報処理装置と接続するための第２の入出インターフェイスとを備えた画像読取装置において、記憶手段から画像データを第１の外部情報処理装置へと第１の入出力インターフェイスを介して送信し、あらかじめ設定されていた画像処理条件に基づいて、第１の外部情報処理装置が画像データに画像処理を行い、第１の外部情報処理装置から画像処理された画像データを記憶手段に第１の入出力インターフェイスを介して送信し、更に第２の入出インターフェイスを介して第２の外部情報処理装置に転送する制御手段とを備えることを特徴とする。
また、本発明の他の態様は、原稿の画像を読み取る画像読取部を備えた画像読取装置と、前記画像読取装置で読み取った画像データの画像処理を行う第１の外部情報処理装置と、前記１の外部情報処理装置において画像処理が施された画像データの送信先となる第２の外部情報処理装置と、を備え、前記画像読取装置は、前記第１の外部情報処理装置と接続する第１のインターフェイスと、前記第２の画像情報処理装置と接続する第２のインターフェイスとを有し、前記１のインターフェイスを通じて受信した画像処理済みの画像データを前記第２のインターフェイスを通じて前記第２の外部情報処理装置に送信することを特徴とする画像読取システムにある。
【００１３】
また、画像データのデータ量が所定値以下の場合、または画像データのデータ通信速度が所定値を上回った場合、制御手段は画像データを第１の入出力インターフェイス、外部情報処理装置を介さずに、前記第２の入出インターフェイスを介して第２の外部情報処理装置に転送し、第２の外部情報処理装置は、あらかじめ設定されている画像処理条件に基づいて画像データを画像処理することを特徴とする。
【発明の効果】
【００１４】
本発明によれば、読取効率を向上した画像読取装置を実現できる。例えば、読取画像データのデータ量によって、画像処理をＰＣに行わせれば、画像処理の高速化を図ることができ、ユーザの作業効率を向上させる画像読取装置を提供することが出来る。例えば、画像処理をデータ通信速度の速いインターフェイスと接続しているＰＣに行わせ、画像読取データ量が所定の値以下の場合、またはデータの通信速度が速い場合に、画像処理を携帯端末に行わせ、画像処理を高速化することにより、ユーザの作業効率を向上させる画像読取装置を実現できる。また、スキャン操作を携帯端末から行うことで、画像読取装置の操作性を向上する画像読取装置を実現できる。
【図面の簡単な説明】
【００１５】
【図１】第１実施形態に係る画像読取装置の概略構成を示す正面断面図。
【図２】図１の画像読取装置主要部の概略構成を示す模式図。
【図３】第１実施形態における画像読取装置を示した構成図。
【図４】第１実施形態における画像読取のフローチャート図。
【図５】本発明の第１実施形態に係画像読取装置２００とＰＣ４００・携帯端末３００の接続関係・動作を示した図。
【図６】第２実施形態における画像読取のフローチャート図。
【図７】第３実施形態における画像読取のフローチャート図。
【図８】画像データのデータ量が所定値以下の場合における本発明の第３実施形態に係わる画像読取装置２００とＰＣ・携帯端末３００の接続関係・動作を示した図。
【図９】第４実施形態における画像読取のフローチャート図。
【図１０】第５実施形態における画像読取のフローチャート図。
【図１１】第６実施形態における画像読取のフローチャート図。
【発明を実施するための形態】
【００１６】
以下、本発明を実施の形態に基づいて詳細に説明する。
〔第１実施形態〕
次に前記手段を適用した本発明の第１実施形態に係る画像読取装置について説明する。
図１は、本発明の第１実施形態に係る画像読取装置である原稿読取装置２００の概略構成を示す図である。図２は、原稿読取装置２００の模式図である。
【００１７】
原稿台１は、原稿を複数枚積載されて、昇降自在になっている。原稿台駆動モータ２は、原稿台１を昇降するようになっている。原稿検知センサ３は、原稿台１のシートを検知するようになっている。原稿給送ローラ４は、原稿台１のシートを原稿台１から送り出すようになっている。原稿給送モータ５は、原稿給送ローラ４を回転するようになっている。
【００１８】
送りローラ６は、送りモータ８によって、シートを下流側に搬送する方向に回転するようになっている。分離ローラ７は、シートを上流側に搬送する回転力を不図示のスリップクラッチを介して分離モータ９から常時受けているが、シートが１枚のとき、シートの搬送力を受けてスリップクラッチによって送りローラ６に追従回転を許容されて追従回転するようになっている。そして、分離ローラ７は、シートが複数枚のとき、シートを上流側に搬送する方向に回転して、シートを上流側に戻し搬送するようになっている。
【００１９】
この送りローラ６のシートを下流側に搬送する作用と、分離ローラ７のシートを上流側に戻し搬送する作用とによって、シートが重なって送りローラ６と分離ローラ７とのニップに送り込まれたとき、上位のシートは下流側に搬送され、下位のシートは上流側に押し戻されて、重なったシートが分離搬送されることになる。したがって、送りローラ６と分離ローラ７は、分離ローラ対（シート分離搬送手段）６，７を構成している。尚、分離ローラ対６，７の代わりに不図示の分離ベルトローラ対（シート分離搬送手段）を使用してもよい。
【００２０】
送りモータ８は、送りローラ６を回転するようになっている。分離モータ９は、分離ローラ７を回転するようになっている。
【００２１】
搬送モータ１０は、分離搬送後の原稿を原稿読取位置から排出位置まで搬送することができるようになっているのと同時に、原稿の解像度などに応じて速度を変更できるようになっている。
【００２２】
ニップ隙間調整モータ１１は、送りローラ６と分離ローラ７との隙間、あるいは分離ローラ７に対する送りローラ６の圧接圧を調整して、原稿の厚みに適合した隙間、あるいは圧接圧で原稿を分離搬送するようになっている。
【００２３】
原稿読取センサ１４，１５を備えた画像読取部４３は、原稿を読取るようになっており、原稿の読取り速度と解像度に基づき走査間隔を変更できるようになっている。原稿排出センサ１６は、画像読取部４３を通過して原稿排出部４４に排出されたのを検知する。
【００２４】
原稿搬送ローラ２０，２１，２２，２３は、原稿Ｆを原稿排出部４４に搬送するようになっている。上ガイド板４０と下ガイド板４１との２つのガイド板は、分離ローラ対６，７、原稿搬送ローラ２０，２１，２２，２３に挟まれて搬送される原稿Ｆを案内するようになっている。
【００２５】
前記の通りに、原稿の搬送動作及び読取動作が行われ、画像を得ることができる。
【００２６】
図３は、本発明の第１実施形態に係る画像読取装置の構成を示した図である。ＣＰＵ５７は携帯端末３００からの画像読取指示を、無線通信インターフェイス５５を介して受信し、ＲＯＭ５６に読取条件を格納する。画像読取制御部４５は、ＲＯＭ５６に格納された読取条件に基づき画像読取部４３を制御し、原稿Ｆから画像データを取得する。バッファメモリ５４は、画像読取部４３が読取った画像データを格納する。ＰＣインターフェイス５８は、画像処理を行うＰＣ４００と外部接続される。
【００２７】
図５は、本発明の第１実施形態に係る画像読取装置２００とＰＣ４００・携帯端末３００の接続関係・動作を示した図である。画像読取装置２００と携帯端末３００は無線通信で接続されている。また、画像読取装置２００と画像処理を行うためのＰＣ４００はＵＳＢで接続されている。（画像読取装置２００とＰＣ４００間のデータ通信速度  ＞  画像読取装置２００と携帯端末３００間のデータ通信速度）画像読取装置２００とＰＣ４００をＵＳＢ接続することにより、画像読取装置２００はPC４００からＰＣインターフェイス５８を介して受電することができる。
【００２８】
ＣＰＵ５７は画像データをＰＣ４００へとＰＣインターフェイス５８を介して送信する。ＰＣ４００はあらかじめ設定されている画像処理条件に基づいて画像データを画像処理する。ＣＰＵ５７はＰＣ４００から画像処理された画像データをバッファメモリ５４にＰＣインターフェイス５８を介して格納し、更に無線インターフェイス５５を介して携帯端末３００に転送する。
【００２９】
図４は、本発明の第１実施形態の画像読取のフローチャート図を示したものである。
【００３０】
ＣＰＵ５７は画像読取装置２００と携帯端末３００を無線接続し、携帯端末３００に対して、無線インターフェイス５５を介してソフトウェア起動コマンドを送信する。携帯端末３００はコマンドを受信し、あらかじめ携帯端末３００にインストールされているソフトウェアを起動する（Ｓ４０１）。携帯端末３００は起動させたスキャンアプリのスキャン開始手順をとることで、スキャン・画像処理に関するコマンドをＣＰＵ５７に送信する。ＣＰＵ５７は画像読取制御部４５にスキャン開始コマンドを送信する（Ｓ４０２）。
【００３１】
画像読取制御部４５は受信したスキャン開始コマンドに従い、画像読取部４３を制御して原稿読取動作を開始する。ＣＰＵ５７は読取画像データをバッファメモリ５４に格納し、格納されている読取画像データをバッファメモリ５４からＰＣ４００へＰＣインターフェイス５８を介して送信し、ＰＣ４００はあらかじめ設定されている画像処理条件に基づいて読取画像に対して画像処理を行う。（Ｓ４０３）
【００３２】
ＰＣ４００から画像読取装置２００へＰＣインターフェイス５８を介して画像処理を行った画像データを転送し（Ｓ４０４）、画像読取装置２００から携帯端末３００へ無線インターフェイス５５を介して画像データを転送して終了となる（Ｓ４０５）。
【００３３】
前記の通りに動作を行うことで、データ通信速度の速いインターフェイスと接続しているＰＣに画像処理を行わせ、画像処理の高速化することができる。
【００３４】
〔実施形態２〕
次に前記手段を適用した本発明の第２実施形態に係る画像読取装置について説明する。
本実施形態の構成は、第１実施形態と同様である（図３参照）。
【００３５】
図７は、第２実施形態における画像読取のフローチャート図を示したものである。
ＣＰＵ５７は画像読取装置２００と携帯端末３００を無線接続し、携帯端末３００に対して、無線インターフェイス５５を介してソフトウェア起動コマンドを送信する。携帯端末３００はコマンドを受信し、あらかじめ携帯端末３００にインストールされているソフトウェアを起動する（Ｓ７０１）。
【００３６】
スキャンを行うために携帯端末３００を操作して、スキャン・画像処理に関するコマンドを画像読取制御部４５に送信する（Ｓ７０２）。スキャン後、読取画像データのデータ量を所定値Ｄ（Ｄはデータ通信速度・画像処理装置の処理性能によって読取画像取得までの時間が大幅に遅れることのない値）と比較し（Ｓ７０３）、画像データのデータ量が所定値Ｄを上回った場合、画像読取装置２００とＰＣ４００・携帯端末３００の接続関係・動作は第１実施形態と同様である（図５参照）。画像読取部４３で読取った読取画像データを画像読取装置２００からＰＣ４００へＰＣインターフェイス５８を介して送信し、ＰＣ４００はあらかじめ設定されている画像処理条件に基づいた画像処理を行う（Ｓ７０４）。ＰＣ４００は画像処理を行った後、画像データをＰＣ４００から画像読取装置２００へ画像データを転送し（Ｓ７０５）、画像読取装置２００から携帯端末３００へ無線インターフェイス５５を介して転送する（Ｓ７０６）。
【００３７】
画像データのデータ量が所定値Ｄ以下の場合、画像読取装置２００とＰＣ４００・携帯端末３００の接続関係・動作は図８に示すとおりである。画像読取装置２００と携帯端末３００は無線通信で接続されている。また、画像読取装置２００と外部ＰＣ４００はＵＳＢ接続されているが、ＵＳＢ接続でのデータ通信は行わない。ＣＰＵ５７は画像データをＰＣインターフェイス５８・ＰＣ４００を介さずに、無線インターフェイス５５を介して携帯端末３００に送信し、携帯端末３００は、あらかじめ設定されている画像処理条件に基づいて画像データを画像処理する（Ｓ７０７）。
【００３８】
前記の通りに動作を行うことで、読取画像データのデータ量によって、画像処理を行う装置を切り替え、画像処理の高速化、ユーザの作業効率を向上させることができる。
【００３９】
〔実施形態３〕
次に前記手段を適用した本発明の第３実施形態に係る画像読取装置について説明する。
本実施形態の構成は、第１実施形態と同様である（図３参照）。
【００４０】
図９は、第３実施形態における画像読取のフローチャート図を示したものである。
ＣＰＵ５７は画像読取装置２００と携帯端末３００を無線接続し、携帯端末３００に対して、無線インターフェイス５５を介してソフトウェア起動コマンドを送信する。携帯端末３００はコマンドを受信し、あらかじめ携帯端末３００にインストールされているソフトウェアを起動する（Ｓ９０１）。スキャンを行うために携帯端末３００を操作して、スキャン・画像処理に関するコマンドを画像読取制御部４５に送信する（Ｓ９０２）。
【００４１】
データ通信速度が所定値Ｓ以下の場合、画像読取装置２００とＰＣ４００・携帯端末３００の接続関係・動作は第１実施形態と同様である（図５参照）。画像読取部４３で読取った読取画像データを画像読取装置２００からＰＣ４００へＰＣインターフェイス５８を介して送信し、ＰＣ４００はあらかじめ設定されている画像処理条件に基づいた画像処理を行う（Ｓ９０４）。ＰＣ４００は画像処理を行った後、画像データをＰＣ４００から画像読取装置２００へ画像データを転送し（Ｓ９０５）、画像読取装置２００から携帯端末３００へ無線インターフェイス５５を介して転送する（Ｓ９０６）。スキャン前に、一定量のデータを画像読取装置２００から携帯端末３００に送信し、返信が返ってくるまでの時間からデータ通信速度を求める。データ通信速度を所定値Ｓと比較し（Ｓ９０３）、データ通信速度が所定値Ｓ以下の場合、画像読取装置２００とＰＣ４００・携帯端末３００の接続関係・動作は第１実施形態と同様である（図５参照）。画像読取部４３で読取った読取画像データを画像読取装置２００からＰＣ４００へＰＣインターフェイス５８を介して送信し、ＰＣ４００はあらかじめ設定されている画像処理条件に基づいた画像処理を行う（Ｓ９０４）。ＰＣ４００は画像処理を行った後、画像データをＰＣ４００から画像読取装置２００へ画像データを転送し（Ｓ９０５）、画像読取装置２００から携帯端末３００へ無線インターフェイス５５を介して転送する（Ｓ９０６）。
【００４２】
データ通信速度が所定値Ｓを上回った場合、画像読取装置２００とＰＣ４００・携帯端末３００の接続関係・動作は図８に示すとおりである。画像読取装置２００と携帯端末３００は無線通信で接続されている。また、画像読取装置２００と外部ＰＣ４００はＵＳＢ接続されているが、ＵＳＢ接続でのデータ通信は行わない。ＣＰＵ５７は画像データをＰＣインターフェイス５８・ＰＣ４００を介さずに、無線インターフェイス５５を介して携帯端末３００に送信し、携帯端末３００は、あらかじめ設定されている画像処理条件に基づいて画像データを画像処理する（Ｓ９０７）。
【００４３】
前記の通りに動作を行うことで、読取画像データのデータ量によって、画像処理を行う装置を切り替え、画像処理の高速化、ユーザの作業効率を向上させることができる。
【００４４】
〔実施形態４〕
次に前記手段を適用した本発明の第４実施形態に係る画像読取装置について説明する。
本実施形態の構成は、第１実施形態と同様である（図３参照）。
【００４５】
本実施形態における、接続関係・動作は、第１実施形態と同様である（図５参照）。
図６は、第４実施形態における画像読取のフローチャート図を示したものである。
【００４６】
ＣＰＵ５７は画像読取装置２００と携帯端末３００を無線接続し、携帯端末３００に対して、無線インターフェイス５５を介してソフトウェア起動コマンドを送信する。携帯端末３００はコマンドを受信し、あらかじめ携帯端末３００にインストールされているソフトウェアを起動する（Ｓ６０１）。
【００４７】
携帯端末３００は起動させたスキャンアプリのスキャン開始手順をとることで、スキャン・画像処理に関するコマンドを画像読取制御部４５に送信する（Ｓ６０２）。画像読取制御部４５は受信したスキャン開始コマンドに従い、画像読取部４３で原稿を読取る。ＣＰＵ５７は読取画像データをバッファメモリ５４に格納する。ＣＰＵ５７は格納されている読取画像データをバッファメモリ５４からＰＣ４００にＰＣインターフェイス５８を介して送信し、ＰＣ４００はあらかじめ設定されている画像処理条件に基づいて読取画像に対して画像処理を行う（Ｓ６０３）。ＰＣ４００から画像読取装置２００へ画像処理を行った画像データを転送し（Ｓ６０４）、画像読取装置２００から携帯端末３００へ画像データを無線通信で転送する（Ｓ６０５）。スキャン終了後、ＰＣ４００はＰＣ４００と画像読取装置２００のUSB接続が解除されているかを判断し（Ｓ６０６）、接続が解除されている場合、ＰＣ４００は自動的にＰＣ４００に保存されている画像読取部４３が読取った画像データを消去する（Ｓ６０７）。
【００４８】
前記の通りに動作を行うことで、ユーザの手間を増やすことなく、ＰＣ４００の記憶容量を逼迫することを防ぐとともに個人情報の保護を図ることができる。
【００４９】
〔実施形態５〕
次に前記手段を適用した本発明の第５実施形態に係る画像読取装置について説明する。
本実施形態の構成は、第１実施形態と同様である（図３参照）。
【００５０】
図１０は、第５実施形態における画像読取のフローチャート図を示したものである。
ＣＰＵ５７は画像読取装置２００と携帯端末３００を無線接続し、携帯端末３００に対して、無線インターフェイス５５を介してソフトウェア起動コマンドを送信する。携帯端末３００はコマンドを受信し、あらかじめ携帯端末３００にインストールされているソフトウェアを起動する（Ｓ１００１）。
【００５１】
スキャンを行うために携帯端末３００を操作して、スキャン・画像処理に関するコマンドを画像読取制御部４５に送信する（Ｓ１００２）。
【００５２】
携帯端末３００は無線インターフェイス５５を介して、画像処理をＰＣ４００が行うかを選択し、コマンドをＣＰＵ５７に送信する。ＣＰＵ５７はＰＣ４００が画像処理を行うように選択したかを判断し（Ｓ１００３）、ＰＣ４００が画像処理を行うことを選択した場合、画像読取装置２００とＰＣ４００・携帯端末３００の接続関係・動作は第１実施形態と同様である（図５参照）。
【００５３】
画像読取部４３で読取った読取画像データを画像読取装置２００からＰＣ４００へＰＣインターフェイス５８を介して送信し、ＰＣ４００はあらかじめ設定されている画像読取条件に基づいた画像処理を行う（Ｓ１００４）。
【００５４】
ＰＣ４００は画像処理を行った後、画像データをＰＣ４００から画像読取装置２００へ画像データを転送し（Ｓ１００５）、画像読取装置２００から携帯端末３００へ無線インターフェイス５５を介して転送する（Ｓ１００６）。
【００５５】
ＰＣ４００が画像処理を行うことを選択しなかった場合、画像読取装置２００とＰＣ４００・携帯端末３００の接続関係・動作は図８に示すとおりである。画像読取装置２００と携帯端末３００は無線通信で接続されている。また、画像読取装置２００と外部ＰＣ４００はＵＳＢ接続されているが、ＵＳＢ接続でのデータ通信は行わない。ＣＰＵ５７は画像データをＰＣインターフェイス５８・ＰＣ４００を介さずに、無線インターフェイス５５を介して携帯端末３００に送信し、携帯端末３００は、あらかじめ設定されている画像処理条件に基づいて画像データを画像処理する（Ｓ１００７）。
【００５６】
画像読取装置２００で読取った画像データに対して、画像回転、画像の表示順の入れ替え、等の、ＣＰＵ５７の処理能力が必要となる画像処理を行う場合に、ＰＣ４００に画像処理を行わせることによって、画像処理の速度を高速化することができる。
【００５７】
〔実施形態６〕
次に前記手段を適用した本発明の第５実施形態に係る画像読取装置について説明する。
本実施形態の構成は、第１実施形態と同様である（図３参照）。
【００５８】
図１１は、第５実施形態における画像読取のフローチャート図を示したものである。ＣＰＵ５７は画像読取装置２００と携帯端末３００を無線接続し、携帯端末３００に対して、無線インターフェイス５５を介してソフトウェア起動コマンドを送信する。携帯端末３００はコマンドを受信し、あらかじめ携帯端末３００にインストールされているソフトウェアを起動する（Ｓ１１０１）。
【００５９】
スキャンを行うために携帯端末３００を操作して、スキャン・画像処理に関するコマンドを画像読取制御部４５に送信する（Ｓ１１０２）。
【００６０】
携帯端末３００は無線インターフェイス５５を介して、画像処理の設定をＣＰＵ５７に送信する。ＣＰＵ５７は画像処理の設定において、明るさ調整、コントラスト調整、ガンマ調整、エッジ強調、モアレ除去、斜行補正、裏移り・地色除去、画像圧縮、原稿サイズ自動検知、白紙スキップ等のＣＰＵ５７の処理能力が必要となる画像処理の内、1種類もしくは複数を選択したかを判断し（Ｓ１１０３）、画像処理の設定に、ＣＰＵ５７の処理能力が必要となる画像処理の内、1種類もしくは複数を選択した場合、画像読取装置２００とＰＣ４００・携帯端末３００の接続関係・動作は第１実施形態と同様である（図５参照）。
【００６１】
画像読取部４３で読取った読取画像データを画像読取装置２００からＰＣ４００へＰＣインターフェイス５８を介して送信し、ＰＣ４００はあらかじめ設定されている画像読取条件に基づいた画像処理を行う（Ｓ１１０４）。
【００６２】
ＰＣ４００は画像処理を行った後、画像データをＰＣ４００から画像読取装置２００へ画像データを転送し（Ｓ１１０５）、画像読取装置２００から携帯端末３００へ無線インターフェイス５５を介して転送する（Ｓ１１０６）。
【００６３】
画像処理の設定に、ＣＰＵ５７の処理能力が必要となる画像処理の内、1種類もしくは複数を選択しなかった場合、画像読取装置２００とＰＣ４００・携帯端末３００の接続関係・動作は図８に示すとおりである。画像読取装置２００と携帯端末３００は無線通信で接続されている。また、画像読取装置２００と外部ＰＣ４００はＵＳＢ接続されているが、ＵＳＢ接続でのデータ通信は行わない。ＣＰＵ５７は画像データをＰＣインターフェイス５８・ＰＣ４００を介さずに、無線インターフェイス５５を介して携帯端末３００に送信し、携帯端末３００は、あらかじめ設定されている画像処理条件に基づいて画像データを画像処理する（Ｓ１１０７）。
【００６４】
画像読取装置２００で読取った画像データに対して、画像回転、明るさ調整、コントラスト調整、ガンマ調整、エッジ強調、モアレ除去、斜行補正、裏移り・地色除去、画像圧縮、原稿サイズ自動検知、白紙スキップ等の、ＣＰＵ５７の処理能力が必要となる画像処理を行う場合に、ＰＣ４００に画像処理を行わせることによって、画像処理の速度を高速化することができる。
【符号の説明】
【００６５】
Ｓ１            給送原稿前センサ
Ｓ２            給送原稿後センサ
Ｓ３            レジスト前センサ
Ｓ４            レジスト後センサ
Ｆ              原稿（シート）
１              原稿台（シート積載手段）
２              原稿台駆動モータ
３              原稿検知センサ
４              原稿給送ローラ（シート給送手段）
５              原稿給送モータ
６              送りローラ
７              分離ローラ
６，７          分離ローラ対（シート分離搬送回転体対）
８              送りモータ
９              分離モータ
１０            搬送モータ
１１            ニップ隙間調整モータ
１４，１５              原稿読取センサ
１６            原稿排出センサ
２０，２１              原稿搬送ローラ（シート供給搬送手段）
２２，２３              原稿搬送ローラ（シート排出搬送手段）
４３            原稿読取部（画像読取部）
４５            画像読取制御部
４６            操作部（報知手段）
５１            原稿規制板（シート保持規制手段）
５４            バッファメモリ
５５            無線インターフェイス
５６            ＲＯＭ
５７            ＣＰＵ
５８            ＰＣインターフェイス
５９            受電回路
１０１          原稿給送装置（シート給送装置）
２００          原稿読取装置（画像読取装置）
２０１          原稿読取装置（画像読取装置）の本体
３００          携帯端末
４００          ＰＣ（外部情報処理装置）
【図１】
2017041699.tif 000003
【図２】
2017041699.tif 000004
【図３】
2017041699.tif 000005
【図４】
2017041699.tif 000006
【図５】
2017041699.tif 000007
【図６】
2017041699.tif 000008
【図７】
2017041699.tif 000009
【図８】
2017041699.tif 000010
【図９】
2017041699.tif 000011
【図１０】
2017041699.tif 000012
【図１１】
2017041699.tif 000013